(57)【要約】【課題】利便性の高い入浴用昇降装置を提供すること【解決手段】浴槽とは別体として設けられ、入浴者を載置する載置部と、前記載置部を支持する支持部と、前記支持部を昇降させる昇降駆動部と、浴槽内の湯水の温度を検出する温度検出部と、前記温度検出部が検出した浴槽内の湯水の温度を表示部に表示制御する制御部と、を備える【選択図】図４
2015019833.tif 000002
【特許請求の範囲】
【請求項１】
浴槽とは別体として設けられ、
入浴者を載置する載置部と、
前記載置部を支持する支持部と、
前記支持部を昇降させる昇降駆動部と、
浴槽内の湯水の温度を検出する温度検出部と、
前記温度検出部が検出した浴槽内の湯水の温度を表示部に表示制御する制御部と、
を備える入浴用昇降装置。
【請求項２】
入浴者の入浴時間を計測する時間計測部を備え、前記制御部は前記時間計測部が検出した入浴者の入浴時間を前記表示部に表示制御する請求項１に記載の入浴用昇降装置。
【請求項３】
前記制御部は前記温度検出部が検出した浴槽内の湯水の温度及び前記時間計測部が検出した入浴者の入浴時間を切替可能に表示制御する請求項２に記載の入浴用昇降装置。
【請求項４】
前記表示部は前記昇降駆動部に設けられる請求項１〜請求項３のいずれか１項に記載の入浴用昇降装置。
【請求項５】
前記温度検出部は前記載置部又は前記支持部の下部に設けられる請求項１〜請求項４のいずれか１項に記載の入浴用昇降装置。
【発明の詳細な説明】
【技術分野】
【０００１】
本発明は、身体障害者や高齢者等、入浴の際に介護を要する者（以下、「身体障害者や高齢者等、入浴の際に介護を要する者」を「要介護者」と称することがある。また、「入浴している要介護者」を「入浴者」と称することがある。）を入浴させるため際に使用される入浴用昇降装置に関する。
【背景技術】
【０００２】
従来より介護施設等において介護者が要介護者を入浴させるサービスが行われている。要介護者を入浴させる際に介護者にとって最も困難な作業の一つが要介護者を浴槽に出入させる作業である。浴槽は内部に湯水を溜めるものであって所定の高さの側壁を有しており、介護者はこの側壁を乗り越えて要介護者を浴槽に出入させる必要があるからである。
【０００３】
そこで近年では要介護者を浴槽に対して昇降させる昇降機を備える入浴装置が提供されている。昇降機はストレッチャーや座椅子を支持しており、要介護者をストレッチャーに仰臥させ、或いは座椅子に座らせたままストレッチャーや椅子を昇降することで要介護者をストレッチャーや座椅子ごと浴槽に出入させることができる。
【０００４】
要介護者を入浴させる場合に介護者は事前に浴槽に湯水を溜める。この湯水の温度は介護者によって管理されるが湯水の温度が入浴に適した温度を逸脱することが考えられる。そして昇降機を用いて要介護者を入浴させる場合には、要介護者を浴槽に入れる際に介護者の手が湯水に直接触れないので、湯水の温度が入浴に適した温度でないことに気付かずに要介護者を入浴させてしまうおそれがある。要介護者の中には自力で浴槽から出ることができない者もいるため、その結果、要介護者に対して熱湯よる火傷を負わせ、或いは、冷水による心臓への負担を増大させるという危険性があった。
【０００５】
浴槽内の湯水の温度を表示する入浴装置として例えば特許文献１のタンク併設型入浴装置は浴槽副部の上側開口部を覆う覆い部材であって入浴者の顔面に向かう位置に操作パネルを設けている。当該操作パネルに浴槽内の湯水の温度を表示することで入浴者及び介護者が浴槽内の湯水の温度を確認可能としている。
【先行技術文献】
【非特許文献】
【０００６】
【特許文献１】特開２０１１−０６７４６３号公報
【発明の概要】
【発明が解決しようとする課題】
【０００７】
特許文献１のタンク併設型入浴装置によれば浴槽に取り付けられた操作パネルを見ることで介護者は浴槽内の湯水の温度を確認することが可能である。ところで、近年は浴槽と入浴者を浴槽に対して入浴者を昇降させる入浴用昇降装置とが別体である（湯温を管理するシステムと昇降装置とが電気的に接続されていない）入浴装置が提供されている。そのような入浴装置の中には、浴槽側で浴槽内の湯水の温度を表示する機能を有さないものがある。また、浴槽内の湯水の温度を昇降装置側で検知するシステムが確立されておらず、浴槽内の湯水の温度を昇降装置側に表示することはできなかった。
【０００８】
本発明は上述した問題点に鑑み、利便性の高い入浴用昇降装置を提供することを目的とする。
【課題を解決するための手段】
【０００９】
上記目的を達成するために本発明の入浴用昇降装置は、浴槽とは別体として設けられ、入浴者を載置する載置部と、前記載置部を支持する支持部と、前記支持部を昇降させる昇降駆動部と、浴槽内の湯水の温度を検出する温度検出部と、前記温度検出部が検出した浴槽内の湯水の温度を表示部に表示制御する制御部と、を備えることを特徴とする。
【００１０】
また上記構成の入浴用昇降装置において、入浴者の入浴時間を計測する時間計測部を備え、前記制御部は前記時間計測部が検出した入浴者の入浴時間を前記表示部に表示制御することが望ましい。
【００１１】
また上記構成の入浴用昇降装置において、前記制御部は前記温度検出部が検出した浴槽内の湯水の温度及び前記時間計測部が検出した入浴者の入浴時間を切替可能に表示制御することが望ましい。
【００１２】
また上記構成の入浴用昇降装置において、前記表示部は前記昇降駆動部に設けられることが望ましい。
【００１３】
また上記構成の入浴用昇降装置において、前記温度検出部は前記載置部又は前記支持部の下部に設けられることが望ましい。
【発明の効果】
【００１４】
本発明によれば浴槽とは別体として設けられている入浴用昇降装置により、浴槽内の湯水の温度が検出され、且つ、その温度が表示部に表示される。これにより別体の入浴用昇降装置の表示部を確認することで浴槽内の湯水の温度を確認することができるので利便性が高い。
【図面の簡単な説明】
【００１５】
【図１】第１実施形態の入浴用昇降装置を備える入浴装置を示す正面図
【図２】第１実施形態の入浴用昇降装置を備える入浴装置を示す左側面図
【図３】第１実施形態の入浴用昇降装置を示す側面図
【図４】第１実施形態の入浴用昇降装置の機能ブロック図
【図５】第１の位置センサーを示す上面模式図
【図６】第２の位置センサーを示す側面模式図
【図７】第１の位置センサー及び第２の位置センサーを単一のセンサーとした場合の構成例を示す側面模式図
【発明を実施するための形態】
【００１６】
以下に本発明の一実施形態の入浴用昇降装置を備える入浴装置について図面を参照して説明する。なお、以下に示す実施形態は、本発明の技術的思想を具体化するために入浴用昇降装置の一例を示すものであって、本発明の入浴用昇降装置を以下の入浴用昇降装置に特定することを意図するものではなく、特許請求の範囲に含まれるその他の実施形態の入浴用昇降装置にも等しく適応し得るものである。
【００１７】
図１及び図２は夫々本実施形態の入浴用昇降装置を備える入浴装置を示す正面図及び左側面図である。図３は本実施形態の入浴用昇降装置を示す左側面図である。図４は本実施形態の入浴用昇降装置の機能ブロック図である。なお、図１の上部には表示部周辺を拡大した模式図が描写されている。入浴装置１は浴槽２と入浴用昇降装置３を備える。浴槽２は浴槽本体２１、及び、浴槽本体２１の底壁２１ｂの四隅に設けられる車輪部２２から構成される。浴槽本体２１の内周壁を構成する左側壁２１ａは、入浴者が無理のない姿勢で入浴可能となるように後述するストレッチャー３４の背もたれ部３４１が所定の角度で傾斜された状態で浴槽本体２１内にストレッチャー３４ごと浸湯可能となるように傾斜して形成される。
【００１８】
浴槽本体２１の外周壁を構成する底壁２１ｂには２本の溝部２１１が凹設されており、当該溝部２１１は後述する入浴用昇降装置３の位置決めフレーム３０３が挿脱可能な形状及び長さに形成される。
【００１９】
入浴用昇降装置３は基台部３０、電源部３１、昇降駆動部３２、支持アーム（支持部）３３、ストレッチャー（載置部）３４、検知部３５、制御部３６、表示部３７を備える。
【００２０】
基台部３０は基台フレーム３０１、両端下部に車輪部３０２を備えると共に基台フレーム３０１とは垂直方向に伸びて形成されて基台フレーム３０１の両端に取り付けられる２本の位置決めフレーム３０３を備える。位置決めフレーム３０３は浴槽２の正面側から溝部２１１に挿入可能であり、溝部２１１の最奥部まで挿入されることで入浴用昇降装置３が浴槽２に対して所定の位置（適切な位置）に位置される。
【００２１】
電源部３１は基台フレーム３０１上に後述するロッド３０５を挟んで２個設置されており、昇降駆動部３２、検知部３５及び制御部３６に電力を供給する電力供給手段である。電源部３１としては基台フレーム３０１に着脱可能な二次電池（リチウムイオン電池やニッケル水素電池など）を用いることとすればよい。なお、電源部３１として二次電池ではなく、商用電源に接続可能なコンセントを備えて、各部に電力を供給することとしてもよい。
【００２２】
昇降駆動部３２は油圧シリンダ３０４、油圧シリンダ３０４内を進退可能なロッド３０５、油圧シリンダ３０４及びロッド３０５の少なくとも一部を覆うカバー部材３０６を備える。ロッド３０５は基台フレーム３０１の略中央部に取り付けられており、ロッド３０５が油圧シリンダ３０４に対して進退することで昇降駆動部３２の高さが伸縮可能である。
【００２３】
支持アーム３３は油圧シリンダ３０４に固定的に取り付けられて昇降駆動部３２の伸縮に伴って昇降する。支持アーム３３は側面視で略Ｚ字状に形成され、支持アーム３３を降下させた際に支持アーム３３が浴槽２に当たらないように構成される。
【００２４】
ストレッチャー３４は支持アーム３３に固定的に取り付けられて支持アーム３３の昇降に伴って昇降する。ストレッチャー３４は背もたれ部３４１、支持アーム３３に取り付けられる臀部受け部３４２、脚受け部３４３から構成され、背もたれ部３４１は臀部受け部３４２に対して任意の角度に調整可能である。なお、脚受け部３４３も臀部受け部３４２に対して任意の角度に調整可能である。
【００２５】
本実施形態では上述したように位置決めフレーム３０３を浴槽２の正面側から溝部２１１に挿入するためにストレッチャー３４の左部を背もたれ部としているが、設置環境によっては浴槽２の背面側から挿入されることがある。その場合、脚受け部３４３がストレッチャー３４の左部になるが、左側壁２１ａと略同一の角度に傾斜させて背もたれ部として使用可能である。
【００２６】
検知部３５として本実施形態では温度検出部３５１、第１の位置センサ３５２、第２の位置センサ３５３及び時間検出部３５４を備える。温度検出部３５１は支持アーム３３の下部に取り付けられて、支持アーム３３が降下した際に浴槽２内の湯水に浸けられて浴槽２内の湯水の温度を検知する。なお、温度検出部３５１はストレッチャー３４を降下させる際に、ストレッチャー３４が浴槽２内の湯水に浸かる前に浴槽２内の湯水の温度を検知可能な位置に取り付けられることとすればよい。例えば臀部受け部３４２の下部に取り付けることとしてもよい。
【００２７】
第１の位置センサ３５２は入浴用昇降装置３の位置が介護者によるストレッチャー３４の昇降禁止位置であるか否かを検知する検知手段である。介護者によるストレッチャー３４の昇降が禁止される位置とは位置決めフレーム３０３の溝部２１１に対する挿入位置と第２の位置センサ３５３がＯＮされる位置（詳細は後述）との間である。この間はストレッチャー３４に要介護者を載せて浴槽２に向かって移動し、或いは浴槽２から移動中であることからストレッチャー３４の昇降が禁止される。
【００２８】
第１の位置センサ３５２は例えば図５に示すように２本の位置決めフレーム３０３の一方の位置決めフレーム３０３の先端部に側方に向かって突出して設けられると共に軸部３５２ａを中心に矢印Ａの方向に回動可能なセンサ３５２ｂと溝部２１１とからなる。位置決めフレーム３０３を溝部２１１に挿入する場合には、センサ部３５２ｂと溝部２１１が接触する位置まで到達すると、センサ３５２ｂが軸部３５２ａを中心に回動する。これにより入浴用昇降装置３の位置がストレッチャー３４の昇降禁止位置であることを検知する。
【００２９】
第２の位置センサ３５３は第１の位置センサ３５２がＯＮ状態（入浴用昇降装置３の位置がストレッチャー３４の昇降禁止位置であることを検知している状態）において、入浴用昇降装置３の位置が浴槽２に対して適切な位置（ストレッチャー３４を浴槽２に対して降下させてよい位置）であるか否かを検知する検知手段である。第２の位置センサ３５３は例えば図６に示すように位置決めフレーム３０３の先端部且つ第１の位置センサ３５２よりも位置決めフレーム３０３の先端側（図３参照）に設けられてバネ３５３ａによって上方に向かって付勢されるセンサ３５３ｂと溝部２１１に凸設される凸部３５３ｃとからなる。センサ３５３ｂが凸部３５３ｃの位置まで到達するとセンサ３５３ｂがバネ３５３ａに弾性力に抗して下方に摺動する。これにより、入浴用昇降装置３が浴槽２に対して適切な位置に到達したことが検知される。
【００３０】
なお、バネ３５３ａ及びセンサ３５３ｂは２本の位置決めフレーム３０３の一方の位置決めフレーム３０３に設けることとしても双方の位置決めフレーム３０３に設けることとしてもよいが、図５に示すように双方の位置決めフレーム３０３に設けることで両位置決めフレーム３０３が平行に溝部２１１に挿入されたことを確実に検知することができる。
【００３１】
つまり本実施形態においてストレッチャー３４を昇降可能となるのは、第１の位置センサ３５２がＯＦＦ状態である（すなわち位置決めフレーム３０３が溝部２１１に挿入されていない）か、第１の位置センサがＯＮ状態且つ第２の位置センサがＯＮ状態である場合であり、第１の位置センサがＯＮ状態且つ第２の位置センサがＯＦＦ状態である場合にはストレッチャー３４の昇降が禁止される。なお、バネ３５３ａ及びセンサ３５３ｂが２本の位置決めフレーム３０３の双方に設けられている場合には第１の位置センサがＯＮ状態且つ２つの第２の位置センサがＯＮ状態である場合に昇降可能となり、一方の第２の位置センサのみがＯＮ状態の場合には昇降禁止とされる。
【００３２】
なお、本実施形態において第１のセンサ３５２と第２のセンサ３５３を別部材として説明したが、同一のセンサにより実現することとしてもよい。例えば図７に示すように第２のセンサ３５３を用いると共に位置決めフレーム３０３を溝部２１１に挿入する際に第１の凹部３５３ｄに当接してセンサ３５３ｂがバネ３５３ａに弾性力に抗して下方に摺動し、さらに奥部まで挿入された際に第２の凹部３５３ｅに当接してセンサ３５３ｂがバネ３５３ａに弾性力に抗してさらに下方に摺動する構成とする。これにより下方に摺動する量（摺動量）に基づいて溝部２１１に対する位置決めフレーム３０３の位置を検知することができる。
【００３３】
時間計測部３５４は入浴者の入浴時間を計測する。入浴時間の計測開始タイミング及び終了タイミングは特に限られるものではないが、例示すれば、計測開始タイミングは入浴用昇降装置３が浴槽２に対して適切な位置に到達したとき又はその状態においてストレッチャー３４の降下が完了したときである。また、計測終了タイミングはストレッチャー３４の上昇が完了したとき又は入浴用昇降装置３が浴槽２に対して適切な位置でなくなったときである。また、計測開始タイミング及び終了タイミングの一方又は双方に関して介護者が任意のタイミングで計測を開始し或いは終了可能としてもよい。
【００３４】
制御部３６は入浴用昇降装置３全体を制御する制御手段である。本実施形態においては外部からの指示に基づいて昇降駆動部３２を制御してストレッチャー３４を昇降させる。また、表示部３７に表示する情報の制御を行う。制御部３６は表示部３７へ表示モードとして、温度検出部３５１の検出結果に基づく浴槽２内の湯水の温度を表示する第１の表示モードと入浴者が入浴を開始してからの経過時間（入浴者の入浴時間）を表示する第２の表示モードとを切替可能に表示する（図１では第１の表示モードにて表示している状態を示している）。なお、浴槽２内の湯水の温度及び入浴者が入浴を開始してからの経過時間を共に表示する表示モードを有することとしてもよい。
【００３５】
表示部が小さく浴槽２内の湯水の温度及び入浴者の入浴時間を共に表示することが困難である場合に、夫々を切替可能に表示することで複数の情報を順次確認することができる。
【００３６】
入浴者の入浴時間は時間測定部３５４によって計測される。介護施設等で多数の要介護者を入浴させる場合には一人あたりの入浴時間を定めて行われることが多く、入浴時間を表示することで効率よく順次要介護者を入浴させることが可能になる。
【００３７】
表示部３７はカバー部材３０６の正面上部に設置されており、介護者が要介護者を入浴させながら確認しやすい。
【産業上の利用可能性】
【００３８】
本発明は、入浴用昇降装置に利用できる。
【符号の説明】
【００３９】
１    入浴装置
２    浴槽
３    入浴用昇降装置
３１    電源部
３２    昇降駆動部
３３    支持アーム
３４    ストレッチャー
３６    制御部
３７    表示部
３５１    温度検出部
３５２    第１の位置センサ
３５３    第２の位置センサ
３５４    時間計測部
【図１】
2015019833.tif 000003
【図２】
2015019833.tif 000004
【図３】
2015019833.tif 000005
【図４】
2015019833.tif 000006
【図５】
2015019833.tif 000007
【図６】
2015019833.tif 000008
【図７】
2015019833.tif 000009